(57)【要約】【課題】回路構造及び構成を簡素化させ、構成の配置と組み立てが便利になり、検出動作がより安定に正確になるメモリカードコネクタを提供する。【解決手段】コネクタのＣＤ  ＰＩＮ検出端子１４及びメモリカードの接地ピンに対応する接地ピンの接地端子を同じピン位置に設け、ＣＤ  ＰＩＮ検出端子１１４と接地端子を隣り合って設けるか又は上下に重なり合って構成する。ＣＤ  ＰＩＮ検出端子のピンを接地端子のピンより短く設ける。さらに、コネクタに備える複数端子の本体は適宜に直線状を形成し、その後部面はパンチ加工によりクリップスプリング接触部ａを設け、フレキシブルプリント基板に接続する。その前部面は、ばねアーム接触部ｂを形成し、メモリカードと導通する。【選択図】図１
0003140549.tif 000002
【実用新案登録請求の範囲】
【請求項１】
絶縁台と金属蓋とから成り、前記金属蓋を前記絶縁台に組み合わせてかぶせ、前記絶縁台に複数端子を埋め込み、前記絶縁台の側壁に接地機能ＧＮＤ  ＰＩＮ端子ピン及び読み書き機能端子ピンを設け、かつ、コネクタのＣＤ  ＰＩＮ端子をメモリカードの接地ピン位置に対応して同一ピン位置に配置することを特徴とするメモリカードコネクタ。
【請求項２】
前記ＣＤ  ＰＩＮ検出端子及び前記接地端子を隣り合わせて配置することを特徴とする請求項１記載のメモリカードコネクタ。
【請求項３】
前記ＣＤ  ＰＩＮ検出端子及び前記接地端子を上下に重ね合わせて配置することを特徴とする請求項１記載のメモリカードコネクタ。
【請求項４】
前記ＣＤ  ＰＩＮ検出端子を前記接地端子より短く設けることを特徴とする請求項１記載のメモリカードコネクタ。
【請求項５】
前記絶縁台に備える前記複数端子及び前記ＣＤ  ＰＩＮ検出端子の本体を直線状に配置し、その後部面をパンチ加工することにより、上方にはね上がるクリップスプリング接触部を設けることを特徴とする請求項１記載のメモリカードコネクタ。
【請求項６】
前記絶縁台に備える前記複数端子をＳＤカードのピン位置にそれぞれ対応させることを特徴とする請求項１記載のメモリカードコネクタ。
【請求項７】
前記ＣＤ  ＰＩＮ検出端子を、ＳＤカード第３ピンＶｓｓ１（登録商標）の接地端子に対応する位置に配置することを特徴とする請求項１記載のメモリカードコネクタ。
【請求項８】
前記ＣＤ  ＰＩＮ検出端子と前記接地端子の後部面をパンチ加工し、クリップスプリング接触部をそれぞれ設け、二つのクリップスプリング接触部は互いにすれ違って配置されることを特徴とする請求項１記載のメモリカードコネクタ。
【請求項９】
前記ＣＤ  ＰＩＮ検出端子及び前記接地端子を、前記絶縁台の同一の端子スロットに配置し、前記端子スロットは両端子を絶縁分離する分離肋材を有することを特徴とする請求項１記載のメモリカードコネクタ。
【考案の詳細な説明】
【技術分野】
【０００１】
本考案は、フレキシブルプリント基板に応用できるメモリカードコネクタ端子レイアウトに関し、特に、コネクタＣＤ  ＰＩＮ検出端子に対応するメモリカード上の接地端子のピン位置を同一に配置し、端子のレイアウト変更により、その回路と構成の簡素化を図るメモリカードコネクタに関する。
【背景技術】
【０００２】
従来、フレキシブルプリント基板（Ｆｌｅｘｉｂｌｅ  Ｐｒｉｎｔｅｄ  Ｃｉｒｃｕｉｔ  ，ＦＰＣ）に接続するメモリカードコネクタは、台湾特許第９２１１７４３８号公報「可とう性プリント基板接続のカードコネクタ装置」に記載されたコネクタ、及びそのほかの既存のコネクタは、すべてコネクタの側壁に接地機能ＧＮＤ  ＰＩＮ端子ピン、読み書き機能端子ピン及びＣＤ  ＰＩＮ検出端子の３本のピンが並列して設けられている。この３本の端子ピンは同時に接触しなければ読み書き動作ができない。また、前記した３本の端子ピンは並列設置の構造となっているため、回路構造が複雑であり、全体の配置及び組み立てが面倒であり不便を感じる。特に、前記した３本の端子ピンのうちの１ピンでも接触不良が発生すると、すべて動作しないか又は正確に動作しなくなる。このため、全体の安定性が理想とは言えない。この他、従来のコネクタ端子組（ＳＤカードの場合、９ピン配置必要）において、構成部品本体の中央部は大きい彎曲形状で仕上げられている。前掲の台湾特許第９２１１７４３８号公報にて掲載された端子構成部品において、フレキシブルプリント基板後部面の接触部は、さらにＵ字型の挿入口と下方に延ばす取付け部が設けられている。前記した従来の端子構成部品構造が複雑で変化も多いため、実施するときの製造が高難度、金型も複雑となり、コストが高く、端子精度の維持が困難など、改善の余地がある。
【０００３】
【特許文献１】台湾特許第９２１１７４３８号明細書
【考案の開示】
【考案が解決しようとする課題】
【０００４】
本考案の主な目的は、回路構造及び構成を簡素化させ、全体の配置と組み立てが便利になり、検出動作がより安定、正確となるメモリカードコネクタを提供することである。
本考案の次の目的は、端子形状を簡素化し、実施のとき製造が簡単、金型コスト軽減のほか、容易に組み立てできる、メモリカードコネクタを提供することである。
本考案のもう一つの目的は、ＳＤカードのＶＳＳ  １（登録商標）接地ピンを第３ピンとし、前記したＣＤ  ＰＩＮ検出端子もこれ対応して第３ピンに設けるメモリカードコネクタを提供することである。
【課題を解決するための手段】
【０００５】
本考案は、メモリカードコネクタ端子配置改良において、メモリカードコネクタはフレキシブルプリント基板の接続に用いられる。コネクタのＣＤ  ＰＩＮ検出端子及びメモリカードの接地ピンに対応する接地ピンの接地端子を同じピン位置に設け、ＣＤ  ＰＩＮ検出端子と接地端子を隣り合って設けるか又は上下に重なり合って構成される。ＣＤ  ＰＩＮ検出端子のピンは、接地端子のピンより短く設けることにより、全体の回路を簡素化できる。さらに、コネクタに備わる複数端子の本体は適宜に直線状を形成し、その後部面はパンチ加工によりクリップスプリング接触部を設け、フレキシブルプリント基板の接続に用いられる。その前部面は、ばねアーム接触部を形成し、メモリカードとの導通に用いられる。
【０００６】
メモリカードコネクタはフレキシブルプリント基板との接続に適し、特にコネクタのＣＤ  ＰＩＮ検出端子及びメモリカード接地ピンに対応して接地端子を同じピン場所に設け、ＣＤ  ＰＩＮ検出端子と接地端子は隣り合って設けられるか又は上下に重なり合って構成される。また、ＣＤ  ＰＩＮ検出端子のピンを接地端子ピンより短く設けることにより、ＣＤ  ＰＩＮ検出端子がメモリカードが挿入した後、接触し導通する。このような変更により、コネクタの側壁は接地機能のＧＮＤ  ＰＩＮ端子ピンと読み書き機能端子ピンのみを取り付けることで済む。
【０００７】
メモリカードコネクタに備える複数端子の本体は適宜に直線状を形成し、その後部面はパンチ加工により、上方にはね上がるクリップスプリング接触部を設け、フレキシブルプリント基板との接続に用いられる。その前部面は、ばねアーム接触部を形成し、メモリカードと弾性力により互いに係止し合い導通する。
【０００８】
メモリカードコネクタを９ピンのＳＤカードに接続するとき、コネクタのＣＤ  ＰＩＮ検出端子はＧＮＤ  ＰＩＮに接触しなければ作動できないため、ＳＤカードの接地ピンをコネクタのＧＮＤ  ＰＩＮで代えることができる。
【０００９】
（考案の効果）
本考案により、端子構造はより簡素化され、実施するときの製造が容易である。
【考案を実施するための最良の形態】
【００１０】
本考案の一実施例を図面に基づいて説明する。
（一実施例）
本考案のメモリカードコネクタ端子配置を図１から図３に示す。絶縁台１と金属蓋２から成る。絶縁台１の一端に複数端子１１１〜１１９を埋め込み、台の側壁に接地機能ＧＮＤ  ＰＩＮ端子ピン１２及び読み書き機能端子ピン１３を備える。コネクタのＣＤ  ＰＩＮ検出端子１４をメモリカード接地ピンの接地端子１１３に対応させ、同じピン位置に配置する。ＣＤ  ＰＩＮ検出端子１４と接地端子１１３は、隣り合ってそれぞれ設けるか又は上下に重なり合って構成する（図４参照）。また、ＣＤ  ＰＩＮ検出端子１４は接地端子１１３より短く設ける。絶縁台１の他端に公知技術のカード入退出装置１５（公知技術のため、ここでの説明を省略）を設け、図示の実施例において、９ピンのＳＤカードコネクタを用いる。複数端子１１１〜１１９は公知技術のＳＤカードに備える９ピンの位置に対応して配置され、この図において、読み書き機能端子ピン１３に最も近い端子１１８は第８ピン位置であり、読み書き機能端子ピン１３から最も遠い端子１１９は第９ピンの位置である。一方、接地端子１１３はＳＤカードの第３ピン（Ｖｓｓ１接地ピン）に当たる。よって、本考案をＳＤカードコネクタとして実施するとき、ＣＤ  ＰＩＮ検出端子１４はこれに合わせて、第３ピンに設け、接地端子１１３と隣り合わせてそれぞれ設けるか又は上下に重なり合わせて構成する。
【００１１】
次に、金属蓋２、該絶縁台１と組み合わせてかぶせる。
前述したメモリカードコネクタの端子配置構成において、コネクタのＣＤ  ＰＩＮ検出端子１４とメモリカード接地端子１１３とを隣り合わせてそれぞれ設けるか又は上下に重なり合わせて構成し、かつ、ＣＤ  ＰＩＮ検出端子１４は接地端子１１３より短く設ける。これにより、メモリカードを挿入した後、ＣＤ  ＰＩＮの検出端子１４は最後に接触し、同一回路の働きをする。これにより、コネクタの側壁は接地機能のＧＮＤ  ＰＩＮ端子ピン１２及び読み書き機能端子ピン１３（図５）のみを設ければよく、回路構成が簡素化され、配置と組み立てが容易になり、全体の検出動作はより安定、正確になる。
【００１２】
前述した絶縁台１に設ける複数端子１１１〜１１９及びＣＤ  ＰＩＮ検出端子１４について、端子本体は適宜に直線状を形成し、その後部面は上方にはね上がるクリップスプリング接触部ａを形成し、フレキシブルプリント基板との接続に用いられれる。さらに、前部面は、ばねアーム接触部ｂを形成（図４）し、メモリカードと弾性力で係止しあい導通し、各端子１１１〜１１９と検出端子１４形状の簡素化を実現し、実施するときの製造が容易となり、金型コストを軽減し、組み立てが容易である（図６から図９参照）。
【００１３】
前述したＣＤ  ＰＩＮ検出端子１４及び接地端子１１３それぞれの後部面は、パンチ加工によりクリップスプリング接触部ａ同士をすれ違って配置し構成する。
【００１４】
前述したＣＤ  ＰＩＮ検出端子１４及び接地端子１１３は、絶縁台１と同じ端子スロット１６に配置し、端子スロット１６はさらに両端子１４、１１３を絶縁する分離肋材１６１を設ける（図１参照）。
【００１５】
本考案は従来のコネクタに備えるＣＤ  ＰＩＮ検出端子の配置形態を改変して、従来は絶縁台１の側壁に設けていた公知のＣＤ  ＰＩＮ検出端子をメモリカード接地端子１１３の場所に対応して、隣り合って設けるか又は上下に重なり合って構成するほか、本考案ＣＤ  ＰＩＮ検出端子１４のばねアームは端子１１１〜１１９より短く設けることにより、メモリカード３のコネクタ挿入に用いられる。メモリカード３を挿入した後（図１０と図１１参照）、ＣＤ  ＰＩＮ検出端子１４は最後に接触導通し、作動開始後データの読み書きを行う。
【００１６】
実施例に示すものは、本考案の主な技術説明であり、本考案の技術範囲になんらの制限を加わるものではない。よって、応用又は前掲の技術手段に対する単純化あるいは置き換え、もしくは同じ技術をＳＤカードタイプ以外のメモリカードコネクタに応用することは可能であって、なお本案の請求範疇に含まれるものである。
【図面の簡単な説明】
【００１７】
【図１】本考案の実施例によるメモリカードコネクタの分解斜視図である。
【図２】本考案の実施例による絶縁台と金属蓋の分解斜視図である。
【図３】本考案の実施例によるメモリカードコネクタの斜視図である。
【図４】本考案の実施例によるＣＤ  ＰＩＮ検出端子とメモリカードの接地端子が上下にそれぞれ設置された状態の概略図である。
【図５】本考案の実施例によるコネクタの側壁に設けられた接地機能端子ピンと読み書き機能端子ピン並列設置の概略図である。
【図６】本考案の実施例の平面図である。
【図７】本考案の実施例の側面図である。
【図８】図６に示すＡ−Ａ線断面図である。
【図９】図６に示すＢ−Ｂ線断面図である。
【図１０】本考案の実施例によるメモリカード挿入後の状態を示す図である。
【図１１】本考案の実施例によるメモリカード挿入前の状態を示す斜視図である。
【符号の説明】
【００１８】
１：絶縁台、２：金属蓋、３：メモリカード、１１１〜１１９：端子、１２：接地機能ＧＮＤ  ＰＩＮ端子ピン、１３：読み書き機能端子ピン、１４：ＣＤ  ＰＩＮ検出端子、１５：カード入退出装置、１６：端子スロット、１６１：分離肋材、ａ：クリップスプリング接触部、ｂ：ばねアーム接触部
【図１】
0003140549.tif 000003
【図２】
0003140549.tif 000004
【図３】
0003140549.tif 000005
【図４】
0003140549.tif 000006
【図５】
0003140549.tif 000007
【図６】
0003140549.tif 000008
【図７】
0003140549.tif 000009
【図８】
0003140549.tif 000010
【図９】
0003140549.tif 000011
【図１０】
0003140549.tif 000012
【図１１】
0003140549.tif 000013